(57)【特許請求の範囲】
【請求項１】
放送局から送信された放送電波を受信すると共に、その受信信号を処理して、再送信用の放送信号として伝送線路上に出力する受信手段と、
前記放送電波が届かない領域に設置され、前記伝送線路を介して伝送されてきた放送信号を所定の送信レベルまで増幅して送信アンテナに出力することにより、該送信アンテナから前記放送信号に対応した放送電波を再送信させると共に、前記伝送線路を介して伝送されてきた制御信号に従い、自身の動作状態を表す監視信号を前記受信手段側の伝送線路上に出力する複数の送信増幅器と、
前記受信手段から前記送信増幅器へと前記放送信号を伝送する伝送線路上に設けられ、前記受信手段から伝送されてきた放送信号を端末側の伝送線路へ通過させると共に、前記各送信増幅器の動作を制御して各送信増幅器から前記監視信号を出力させるための制御信号を、端末側の伝送線路上に出力し、該制御信号に従い前記各送信増幅器から伝送されてくる監視信号を取得し、該監視信号に基づき、当該システムの動作状態を監視する監視装置と、
前記監視装置よりも端末側の一本の伝送線路上に順次直列に配置され、前記監視装置側から伝送されてきた放送信号及び制御信号を、端末側の伝送線路へ通過させると共に、分岐端子から当該分岐端子に接続された送信増幅器側に分岐出力し、該送信増幅器から該分岐端子に入力された監視信号及び前記伝送線路を介して端末側から伝送されてきた監視信号を、前記監視装置側の伝送線路上に出力する複数の分岐装置と、
を備え、
前記監視装置は、前記各送信増幅器への給電指令として、直流定電圧からなる給電指令信号を前記端末側の伝送線路上に出力するよう構成され、
前記各送信増幅器は、前記分岐装置から供給される駆動電圧を内部回路駆動用の電源電圧に変換して内部回路に供給するよう構成され、
前記各分岐装置には、
外部電源から電源供給を受けて増幅器駆動用の直流定電圧である駆動電圧を生成する駆動電圧生成手段と、
前記伝送線路を介して前記監視装置側から給電指令信号を受けると、前記分岐端子に接続された送信増幅器に、前記駆動電圧生成手段にて生成された駆動電圧を供給すると共に、該駆動電圧を前記給電指令信号として前記端末側の伝送線路上に出力する給電手段と、
が設けられていることを特徴とする放送電波再送信システム。
【請求項２】
前記分岐装置において、前記給電手段は、前記伝送線路を介して前記監視装置側から前記給電指令信号を受けてから、前記駆動電圧生成手段にて生成された駆動電圧を前記給電指令信号として前記端末側の伝送線路上に出力するまでの時間を、所定時間遅延させる給電指令遅延手段を備えたことを特徴とする請求項１に記載の放送電波再送信システム。
【請求項３】
前記分岐装置は、前記伝送線路から分岐した分岐線路を複数の分岐端子に分配する分配回路を備え、
前記給電手段は、前記伝送線路を介して前記監視装置側から前記給電指令信号を受けると、前記複数の分岐端子から前記各送信増幅器への駆動電圧の出力を、互いに異なるタイミングで開始させることを備えたこと特徴とする請求項１又は請求項２に記載の放送電波再送信システム。
【請求項４】
前記分岐装置は、前記伝送線路を介して伝送されてきた制御信号に従い当該分岐装置の動作状態を検出し、該検出結果を、当該分岐装置の動作状態を表す監視信号として前記監視装置側の伝送線路上に出力する監視信号送信手段を備えたことを特徴とする請求項１〜請求項３の何れかに記載の放送電波再送信システム。
【請求項５】
放送局から送信された放送電波を受信すると共に、その受信信号を処理して、再送信用の放送信号として伝送線路上に出力する受信手段と、
前記放送電波が届かない領域に設置され、前記伝送線路を介して伝送されてきた放送信号を所定の送信レベルまで増幅して送信アンテナに出力することにより、該送信アンテナから前記放送信号に対応した放送電波を再送信させると共に、前記伝送線路を介して伝送されてきた制御信号に従い、自身の動作状態を表す監視信号を前記受信手段側の伝送線路上に出力する複数の送信増幅器と、
前記受信手段から前記送信増幅器へと前記放送信号を伝送する伝送線路上に設けられ、前記受信手段から伝送されてきた放送信号を端末側の伝送線路へ通過させると共に、前記各送信増幅器の動作を制御して各送信増幅器から前記監視信号を出力させるための制御信号を、端末側の伝送線路上に出力し、該制御信号に従い前記各送信増幅器から伝送されてくる監視信号を取得し、該監視信号に基づき、当該システムの動作状態を監視する監視装置と、
前記監視装置よりも端末側の一本の伝送線路上に順次直列に配置され、前記監視装置側から伝送されてきた放送信号及び制御信号を、端末側の伝送線路へ通過させると共に、分岐端子から当該分岐端子に接続された送信増幅器側に分岐出力し、該送信増幅器から該分岐端子に入力された監視信号及び前記伝送線路を介して端末側から伝送されてきた監視信号を、前記監視装置側の伝送線路上に出力する複数の分岐装置と、
を備え、
前記監視装置は、前記各送信増幅器への給電指令として、直流定電圧からなる給電指令信号を前記端末側の伝送線路上に出力するよう構成され、
前記各送信増幅器は、前記分岐装置から供給される駆動電圧を内部回路駆動用の電源電圧に変換して内部回路に供給するよう構成された放送電波再送信システムにおいて、
前記分岐装置として用いられる分岐装置であって、
外部電源から電源供給を受けて増幅器駆動用の直流定電圧である駆動電圧を生成する駆動電圧生成手段と、
前記伝送線路を介して前記監視装置側から給電指令信号を受けると、前記分岐端子に接続された送信増幅器に、前記駆動電圧生成手段にて生成された駆動電圧を供給すると共に、該駆動電圧を前記給電指令信号として前記端末側の伝送線路上に出力する給電手段と、
を備えたことを特徴とする分岐装置。
【請求項６】
前記給電手段は、前記伝送線路を介して前記監視装置側から前記給電指令信号を受けてから、前記駆動電圧生成手段にて生成された駆動電圧を前記給電指令信号として前記端末側の伝送線路上に出力するまでの時間を、所定時間遅延させる給電指令遅延手段を備えたことを特徴とする請求項５に記載の分岐装置。
【請求項７】
前記伝送線路から分岐した分岐線路を複数の分岐端子に分配する分配回路を備え、
前記給電手段は、前記伝送線路を介して前記監視装置側から前記給電指令信号を受けると、前記複数の分岐端子から前記各送信増幅器への駆動電圧の出力を、互いに異なるタイミングで開始させることを備えたこと特徴とする請求項５又は請求項６に記載の分岐装置。
【請求項８】
前記伝送線路を介して伝送されてきた制御信号に従い当該分岐装置の動作状態を検出し、該検出結果を、当該分岐装置の動作状態を表す監視信号として前記監視装置側の伝送線路上に出力する監視信号送信手段を備えたことを特徴とする請求項５〜請求項７の何れかに記載の分岐装置。
【発明の詳細な説明】
【技術分野】
【０００１】
本発明は、放送局からの放送電波を受信すると共に、その受信信号から再送信用の送信信号を生成し、その送信信号を増幅して送信アンテナに出力することで、放送電波を所望地域に再送信する放送電波再送信システム、及び、このシステムを構築するのに好適な分岐装置に関する。
【背景技術】
【０００２】
従来より、人工衛星を利用した移動体用のデジタル放送（モバイル放送）が実用化されている。このモバイル放送では、人工衛星からの放送電波が届かない場所（ビル陰地域、地下街、トンネル内等）でも、放送電波を受信できるように、その放送電波を再送信することが行われている。
【０００３】
そして、こうした放送電波の再送信システム（所謂ギャップフィラー）では、通常、人工衛星から送信された放送電波を受信アンテナにて受信し、その受信信号を増幅装置等で増幅したり、ダウンコンバータ等で周波数変換することにより、再送信用の放送信号を生成する。そして、その放送信号を、放送電波が届かない地域に設置された送信増幅器まで伝送して、送信増幅器にて放送信号を増幅させ、その増幅後の放送信号を送信アンテナに入力することで、送信アンテナから放送電波を再送信させる（例えば、特許文献１、２等参照）。
【０００４】
また、この種のシステムにおいては、送信増幅器等が故障すると、再送信すべき地域に放送電波を再送信することができなくなるので、送信増幅器の動作状態を監視して、異常発生時には、その旨をシステム管理者に速やかに通知するようにすることも行われている。
【特許文献１】特開２００４−２００８０５号公報
【特許文献２】特開２００５−２３６４４８号公報
【発明の開示】
【発明が解決しようとする課題】
【０００５】
ところで、ビルの複数階にわたって設置された駐車場等で各階毎に放送電波を再送信するために、ビルの各階毎に送信増幅器を設置した場合には、所謂テレビ放送の共同受信システムのように、放送電波の受信点から各階を通過するように同軸ケーブル等の伝送線路を配線し、その伝送線路上に各階毎に分岐装置を設けて、各分岐装置の分岐端子に、各階に設置した送信増幅器を接続することが考えられる。
【０００６】
つまり、放送電波再送信システムをこのように構成すれば、放送電波を受信して再送信用の放送信号を生成する受信設備を、各階に設置した複数の送信増幅器で共用することができることから、各階の送信増幅器毎に受信設備を設置する場合に比べて、放送電波再送信システムを安価に構成することができる。
【０００７】
また、この場合、各階の送信増幅器への電源供給を各送信増幅器毎に行うようにすると、監視装置側で、各送信増幅器が給電停止によって動作を停止しているのか、故障によって動作を停止しているのかを判定することができなくなるとか、或いは、メンテナンスのために放送信号の伝送を停止させた際に、各階の送信増幅器の動作を一斉に停止させることができず、動作停止が遅れた送信増幅器に接続された送信アンテナから不要な電波が放射されてしまう、といった問題が生じる。
【０００８】
このため、上記のように、放送電波再送信システムを、分岐装置を介して複数の送信増幅器へ放送信号を伝送するように構成した場合には、各送信増幅器への電源供給を、各送信増幅器の動作状態を監視する監視装置側から行うようにするとよい。
【０００９】
しかし、このように複数の送信増幅器に対して監視装置側から電源供給を行うようにすると、各送信増幅器への給電開始時に監視装置内の電源回路に流れる突入電流が過大となり、商用電源からビル内の各種電気機器に電源供給を行う配電盤の安全装置（所謂ブレーカ）が働き、放送電波再送信システム全体の動作が停止してしまう、といった問題が生じる。
【００１０】
本発明は、こうした問題に鑑みなされたもので、放送局からの放送電波を受信して、その放送電波が直接届かない地域に放送電波を再送信する放送電波再送信システムにおいて、再送信用の複数の送信増幅器への電源供給を、各送信増幅器の動作状態を監視する監視装置側から制御することができ、しかも、各送信増幅器への給電開始時に監視装置側に過大な突入電流が流れるのを防止できるようにすることを目的とする。
【課題を解決するための手段】
【００１１】
かかる目的を達成するためになされた請求項１に記載の放送電波再送信システムは、
放送局から送信された放送電波を受信すると共に、その受信信号を処理して、再送信用の放送信号として伝送線路上に出力する受信手段と、
前記放送電波が届かない領域に設置され、前記伝送線路を介して伝送されてきた放送信号を所定の送信レベルまで増幅して送信アンテナに出力することにより、該送信アンテナから前記放送信号に対応した放送電波を再送信させると共に、前記伝送線路を介して伝送されてきた制御信号に従い、自身の動作状態を表す監視信号を前記受信手段側の伝送線路上に出力する複数の送信増幅器と、
前記受信手段から前記送信増幅器へと前記放送信号を伝送する伝送線路上に設けられ、前記受信手段から伝送されてきた放送信号を端末側の伝送線路へ通過させると共に、前記各送信増幅器の動作を制御して各送信増幅器から前記監視信号を出力させるための制御信号を、端末側の伝送線路上に出力し、該制御信号に従い前記各送信増幅器から伝送されてくる監視信号を取得し、該監視信号に基づき、当該システムの動作状態を監視する監視装置と、
前記監視装置よりも端末側の一本の伝送線路上に順次直列に配置され、前記監視装置側から伝送されてきた放送信号及び制御信号を、端末側の伝送線路へ通過させると共に、分岐端子から当該分岐端子に接続された送信増幅器側に分岐出力し、該送信増幅器から該分岐端子に入力された監視信号及び前記伝送線路を介して端末側から伝送されてきた監視信号を、前記監視装置側の伝送線路上に出力する複数の分岐装置と、
を備え、
前記監視装置は、前記各送信増幅器への給電指令として、直流定電圧からなる給電指令信号を前記端末側の伝送線路上に出力するよう構成され、
前記各送信増幅器は、前記分岐装置から供給される駆動電圧を内部回路駆動用の電源電圧に変換して内部回路に供給するよう構成され、
前記各分岐装置には、
外部電源から電源供給を受けて増幅器駆動用の直流定電圧である駆動電圧を生成する駆動電圧生成手段と、
前記伝送線路を介して前記監視装置側から給電指令信号を受けると、前記分岐端子に接続された送信増幅器に、前記駆動電圧生成手段にて生成された駆動電圧を供給すると共に、該駆動電圧を前記給電指令信号として前記端末側の伝送線路上に出力する給電手段と、
が設けられていることを特徴とする。
【００１２】
次に、請求項２に記載の発明は、請求項１に記載の放送電波再送信システムにおいて、
前記分岐装置において、前記給電手段は、前記伝送線路を介して前記監視装置側から前記給電指令信号を受けてから、前記駆動電圧生成手段にて生成された駆動電圧を前記給電指令信号として前記端末側の伝送線路上に出力するまでの時間を、所定時間遅延させる給電指令遅延手段を備えたことを特徴とする。
【００１３】
また、請求項３に記載の発明は、請求項１又は請求項２に記載の放送電波再送信システムにおいて、前記分岐装置は、前記伝送線路から分岐した分岐線路を複数の分岐端子に分配する分配回路を備え、前記給電手段は、前記伝送線路を介して前記監視装置側から前記給電指令信号を受けると、前記複数の分岐端子から前記各送信増幅器への駆動電圧の出力を、互いに異なるタイミングで開始させることを備えたこと特徴とする。
【００１４】
また、請求項４に記載の発明は、請求項１〜請求項３の何れかに記載の放送電波再送信システムにおいて、前記分岐装置は、前記伝送線路を介して伝送されてきた制御信号に従い当該分岐装置の動作状態を検出し、該検出結果を、当該分岐装置の動作状態を表す監視信号として前記監視装置側の伝送線路上に出力する監視信号送信手段を備えたことを特徴とする。
【００１５】
一方、請求項５に記載の発明は、
放送局から送信された放送電波を受信すると共に、その受信信号を処理して、再送信用の放送信号として伝送線路上に出力する受信手段と、
前記放送電波が届かない領域に設置され、前記伝送線路を介して伝送されてきた放送信号を所定の送信レベルまで増幅して送信アンテナに出力することにより、該送信アンテナから前記放送信号に対応した放送電波を再送信させると共に、前記伝送線路を介して伝送されてきた制御信号に従い、自身の動作状態を表す監視信号を前記受信手段側の伝送線路上に出力する複数の送信増幅器と、
前記受信手段から前記送信増幅器へと前記放送信号を伝送する伝送線路上に設けられ、前記受信手段から伝送されてきた放送信号を端末側の伝送線路へ通過させると共に、前記各送信増幅器の動作を制御して各送信増幅器から前記監視信号を出力させるための制御信号を、端末側の伝送線路上に出力し、該制御信号に従い前記各送信増幅器から伝送されてくる監視信号を取得し、該監視信号に基づき、当該システムの動作状態を監視する監視装置と、
前記監視装置よりも端末側の一本の伝送線路上に順次直列に配置され、前記監視装置側から伝送されてきた放送信号及び制御信号を、端末側の伝送線路へ通過させると共に、分岐端子から当該分岐端子に接続された送信増幅器側に分岐出力し、該送信増幅器から該分岐端子に入力された監視信号及び前記伝送線路を介して端末側から伝送されてきた監視信号を、前記監視装置側の伝送線路上に出力する複数の分岐装置と、
を備え、
前記監視装置は、前記各送信増幅器への給電指令として、直流定電圧からなる給電指令信号を前記端末側の伝送線路上に出力するよう構成され、
前記各送信増幅器は、前記分岐装置から供給される駆動電圧を内部回路駆動用の電源電圧に変換して内部回路に供給するよう構成された放送電波再送信システムにおいて、
前記分岐装置として用いられる分岐装置であって、
外部電源から電源供給を受けて増幅器駆動用の直流定電圧である駆動電圧を生成する駆動電圧生成手段と、
前記伝送線路を介して前記監視装置側から給電指令信号を受けると、前記分岐端子に接続された送信増幅器に、前記駆動電圧生成手段にて生成された駆動電圧を供給すると共に、該駆動電圧を前記給電指令信号として前記端末側の伝送線路上に出力する給電手段と、
を備えたことを特徴とする。
【００１６】
また、請求項６に記載の発明は、請求項５に記載の分岐装置において、前記給電手段は、前記伝送線路を介して前記監視装置側から前記給電指令信号を受けてから、前記駆動電圧生成手段にて生成された駆動電圧を前記給電指令信号として前記端末側の伝送線路上に出力するまでの時間を、所定時間遅延させる給電指令遅延手段を備えたことを特徴とする。
【００１７】
また次に、請求項７に記載の発明は、請求項５又は請求項６に記載の分岐装置において、前記伝送線路から分岐した分岐線路を複数の分岐端子に分配する分配回路を備え、前記給電手段は、前記伝送線路を介して前記監視装置側から前記給電指令信号を受けると、前記複数の分岐端子から前記各送信増幅器への駆動電圧の出力を、互いに異なるタイミングで開始させることを備えたこと特徴とする。
【００１８】
また、請求項８に記載の発明は、請求項５〜請求項７の何れかに記載の分岐装置において、前記伝送線路を介して伝送されてきた制御信号に従い当該分岐装置の動作状態を検出し、該検出結果を、当該分岐装置の動作状態を表す監視信号として前記監視装置側の伝送線路上に出力する監視信号送信手段を備えたことを特徴とする。
【発明の効果】
【００１９】
請求項１に記載の放送電波再送信システムにおいては、受信手段から監視装置を通って端末側に至る伝送線路上に複数の分岐装置が直列に設けられており、これら各分岐装置を介して、受信装置及び監視装置から伝送線路上に送出された放送信号及び制御信号を、複数の送信増幅器に伝送すると共に、その制御信号に従い各送信増幅器から出力された監視信号を、監視装置側に伝送するようにされている。
【００２０】
また、各分岐装置には、外部電源から電源供給を受けて増幅器駆動用の駆動電圧を生成する駆動電圧生成手段が設けられており、伝送線路を介して監視装置側から給電指令信号を受けると、給電手段が、分岐端子に接続された送信増幅器に、駆動電圧生成手段にて生成された駆動電圧を供給すると共に、その駆動電圧を給電指令信号として端末側の伝送線路上に出力する。
【００２１】
従って、本発明の放送電波再送信システムによれば、伝送線路と分岐装置とを介して、受信手段からの放送信号を複数の送信増幅器まで伝送して、各送信増幅器から送信アンテナを介して放送電波を再送信させることができるだけでなく、各分岐装置から送信増幅器への電源供給を監視装置側で制御しつつ、監視装置側で各送信増幅器の動作状態を監視することができる。
【００２２】
このため、監視装置側では、各送信増幅器の動作状態を正確に監視することができるようになり、しかも、メンテナンス等のために放送信号の伝送を停止するような場合には、監視装置側から、各送信増幅器の動作を一斉に停止させて、各送信増幅器に接続された送信アンテナから不要な信号が送信されるのを防止することができる。
【００２３】
また、各送信増幅器を起動する際、監視装置は、給電指令信号を出力するだけでよいため、各送信増幅器の起動時に、監視装置内の電源回路に過大な突入電流が流れ、監視装置に電源供給を行う配電盤側で安全装置が働き、その配電盤から監視装置への給電が遮断されて、システム全体の動作が停止してしまう、といった問題を防止することもできる。
【００２４】
ところで、本発明において、各分岐装置が電源供給を受ける外部電源が共通である場合、各分岐装置が送信増幅器への給電を開始するタイミングが同じであると、その外部電源に過大な突入電流が流れて、外部電源に設けられた安全装置が働き、各分岐装置への給電が遮断されることも考えられる。
【００２５】
このため、請求項２に記載のように、各分岐装置の給電手段には、給電指令遅延手段を設けることで、給電指令信号を受けてから、駆動電圧生成手段にて生成された駆動電圧を給電指令信号として端末側の伝送線路上に出力するまでの時間を、所定時間遅延させるようにするとよい。
【００２６】
つまり、このようにすれば、伝送線路上に設けられた複数の分岐装置には、監視装置（換言すれば受信手段）に近い上流側の分岐装置から順に給電指令信号が入力されることになり、各分岐装置の駆動電圧生成手段に同時に突入電流が流れるのを防止することができる。
【００２７】
よって、この請求項２に記載の放送電波再送信システムによれば、各分岐装置が電源供給を受ける外部電源が共通であったとしても、その外部電源に過大な突入電流が流れて各分岐装置への給電が遮断されるのを防止することができる。
【００２８】
また次に、分岐装置には、伝送線路から分岐した分岐線路を複数の分岐端子に分配する分配回路を設けることにより、各分岐端子を介して複数の送信増幅器を接続できるようにしてもよいが、この場合、各分岐端子から送信増幅器への駆動電圧の出力開始を、同じタイミングで実行するようにすると、そのタイミングで駆動電圧生成手段に過大な突入電流が流れて、外部電源からの給電が遮断されることも考えられる。
【００２９】
このため、分岐装置に分配回路を設けて、分岐装置に複数の送信増幅器を接続できるようにした場合、給電手段は、請求項３に記載のように、給電指令信号を受けると、複数の分岐端子から送信増幅器への駆動電圧の出力を、互いに異なるタイミングで開始させるように構成するとよい。
【００３０】
つまり、このようにすれば、分岐装置内の駆動電圧生成手段に過大な突入電流が流れて、外部電源から分岐装置への給電が遮断されるのを防止することができる。
なお、本発明（請求項１〜請求項３）の放送電波再送信システムにおいて、分岐装置には、請求項４に記載のように、伝送線路を介して伝送されてきた制御信号に従い当該分岐装置の動作状態を検出し、その検出結果を、当該分岐装置の動作状態を表す監視信号として監視装置側の伝送線路上に出力する監視信号送信手段を設けることが望ましい。
【００３１】
そして、このようにすれば、監視装置において、分岐装置に接続された送信増幅器の動作状態に加えて、分岐装置の動作状態をも監視することができ、これらの何れかに異常が生じた場合には、その旨を管理者等に速やかに報知することができるようになる。
【００３２】
次に、請求項５に記載の分岐装置は、上述した本発明の放送電波再送信システムにおいて、監視装置よりも端末側の伝送線路上に直列に配置され、監視装置側から伝送されてきた放送信号及び制御信号を、端末側の伝送線路へ通過させると共に、分岐端子から当該分岐端子に接続された送信増幅器側に分岐出力し、この送信増幅器から分岐端子に入力された監視信号及び伝送線路を介して端末側から伝送されてきた監視信号を、監視装置側の伝送線路上に出力する分岐装置に関する発明であり、外部電源から電源供給を受けて増幅器駆動用の直流定電圧である駆動電圧を生成する駆動電圧生成手段と、前記伝送線路を介して前記監視装置側から給電指令信号を受けると、前記分岐端子に接続された送信増幅器に、前記駆動電圧生成手段にて生成された駆動電圧を供給すると共に、該駆動電圧を前記給電指令信号として前記端末側の伝送線路上に出力する給電手段とを備える。従って、この分岐装置を用いれば、本発明（特に請求項１に記載）の放送電波再送信システムを構築することができるようになり、上述した請求項１と同様の効果を得ることができる。
【００３３】
また、請求項６に記載の分岐装置においては、伝送線路を介して給電指令信号が入力されると、給電指令遅延手段が、駆動電圧生成手段にて生成された駆動電圧を給電指令信号として端末側の伝送線路上に出力するまでの時間を、所定時間遅延させる。従って、この分岐装置を用いれば、本発明（特に請求項２に記載）の放送電波再送信システムを構築することができるようになり、上述した請求項２と同様の効果を得ることができる。
【００３４】
また次に、請求項７に記載の分岐装置においては、伝送線路から分岐した分岐線路を複数の分岐端子に分配する分配回路を備え、給電手段は、伝送線路を介して給電指令信号を受けると、複数の分岐端子に接続された機器への駆動電圧の出力を、互いに異なるタイミングで開始させる。従って、この分岐装置を用いれば、本発明（特に請求項３に記載）の放送電波再送信システムを構築することができるようになり、上述した請求項３と同様の効果を得ることができる。
【００３５】
また、請求項８に記載の分岐装置においては、伝送線路を介して伝送されてきた制御信号に従い当該分岐装置の動作状態を検出し、その検出結果を当該分岐装置の動作状態を表す監視信号として監視装置側の伝送線路上に出力する監視信号送信手段が備えられている。従って、この分岐装置を用いれば、本発明（特に請求項４に記載）の放送電波再送信システムを構築することができるようになり、上述した請求項４と同様の効果を得ることができる。
【発明を実施するための最良の形態】
【００３６】
以下に、本発明の実施形態を図面と共に説明する。
図１は、本発明が適用された放送電波再送信システム（以下、単に再送信システムという）の構成を表すブロック図である。
【００３７】
本実施形態の再送信システムは、人工衛星から２．６ＧＨｚ帯の周波数帯を使って配信されるモバイル放送用の放送電波を受信アンテナ２で受信し、その受信信号（放送信号）を受信増幅器４にて増幅して、人工衛星からの放送電波を直接受信できない領域に設置された送信アンテナ１２まで伝送することにより、送信アンテナ１２からその領域内にモバイル放送用の放送電波を再送信するためのもの（所謂ギャップフィラー装置）である。
【００３８】
そして、図１に示すように、本実施形態の再送信システムには、ビルの各階に設置された駐車場等、再送信の対象となる複数の領域毎に放送電波を再送信できるよう、各領域毎に２つずつ設けられた複数の送信アンテナ１２と、各送信アンテナ１２に対して、所定レベルまで増幅した放送信号をそれぞれ入力する複数の送信増幅器１０と、が備えられている。
【００３９】
また、受信アンテナ２には、上記各領域を通るように配線された同軸ケーブルからなる伝送路が接続されている。そして、この伝送線路（同軸ケーブル）上には、各領域毎に、放送信号の一部を分岐させて各領域の送信増幅器１０（本実施形態では２つの送信増幅器１０）に出力する、分岐装置８が設置されている。
【００４０】
また、受信アンテナ２から、受信アンテナ２に最も近い上流の分岐装置８に至る伝送線路（同軸ケーブル）上には、受信アンテナ２からの受信信号（放送信号）を増幅する受信増幅器４と、この受信増幅器４から出力された放送信号を分岐装置８側に出力すると共に、分岐装置８側から送信されてくる監視信号に基づき、当該再送信システムの動作状態を監視して、監視結果を、監視用アンテナ７を介して外部の監視センタへ無線にて送信する監視装置６と、が設けられている。
【００４１】
なお、この監視装置６には、電源プラグ６ａを介して外部の商用電源のコンセントから電源供給を受けることにより、自らが動作するための電源電圧や直流定電圧（例えばＤＣ１２Ｖ）を生成する定電圧回路が内蔵されており、監視装置６から上流の受信増幅器４には、定電圧回路にて生成された直流定電圧（ＤＣ１２Ｖ）が電源電圧として供給され、監視装置６から下流の分岐装置８には、定電圧回路にて生成された直流定電圧（ＤＣ１２Ｖ）が送信増幅器１０への給電指令信号として出力される。
【００４２】
また、監視装置６は、外部の監視センタからの指令に従い、端末側の分岐装置８や送信増幅器１０に制御信号を送信する送信回路も内蔵されている。なお、この制御信号は、分岐装置８や送信増幅器１０の動作を制御して、これら各部からその動作状態を表す監視信号を送信させるためのものである。
【００４３】
次に、図２は、送信増幅器１０の構成を表すブロック図である。
図２に示すように、送信増幅器１０には、同軸ケーブルを介して分岐装置８の分岐端子に接続される入力端子２１と、同軸ケーブルを介して送信アンテナ１２に接続される出力端子２５と、信号分離避雷回路２２とが備えられている。
【００４４】
なお、この信号分離避雷回路２２は、分岐装置８側から入力端子２１に入力された入力信号を、２．６ＧＨｚ帯の放送信号と、放送信号よりも周波数が低い制御信号と、直流信号（つまりＤＶ１２Ｖ）とに分離すると共に、制御信号の分離経路を介して、当該送信増幅器１０の動作状態を表す監視信号を入力端子２１から分岐装置８側に出力させるためのフィルタ回路と、落雷等により生じるサージ電圧を吸収する避雷回路とから構成されている。
【００４５】
そして、分岐装置８側から入力され、信号分離避雷回路２２を介して分離された放送信号は、増幅回路２３にて所定の送信レベルまで増幅された後、放送信号のみを選択的に通過させるバンドパスフィルタ（以下、ＢＰＦという）２４を介して出力端子２５まで伝送され、出力端子から、送信アンテナ１２へと出力される。
【００４６】
また、分岐装置８側から入力され、信号分離避雷回路２２を介して分離された制御信号は、監視信号の通過を阻止して制御信号を選択的に通過させるローパスフィルタ（以下、ＬＰＦという）２６を介して、データ復調部２７に入力され、データ復調部２７にて制御用のデジタルデータ（制御データ）に変換されて、マイクロコンピュータからなる通信制御部２８に入力される。
【００４７】
この通信制御部２８は、データ復調部２７から入力された制御データに従い、増幅回路２３に内蔵された温度センサ３１、入力レベル検出回路３２、出力レベル検出回路３３、電圧検出部３４等から、増幅回路２３の温度、放送信号の入力レベル、放送信号の出力レベル、電源電圧等の検出信号を取り込み、その検出信号に自己の識別情報等を付加したデータをデータ変調部３５に出力することで、データ変調部３５に、当該送信増幅器１０の動作状態を表す監視信号を生成させるものである。
【００４８】
そして、このようにデータ変調部３５にて生成された監視信号は、制御信号の通過を阻止して監視信号を選択的に通過させるハイパスフィルタ（以下、ＨＰＦという）３６を介して、信号分離避雷回路２２に入力され、信号分離避雷回路２２から、入力端子２１を介して、分岐装置８に出力される。
【００４９】
また、分岐装置８側から入力され、信号分離避雷回路２２を介して分離された直流信号（ＤＣ１２Ｖ）は、電源回路３８に入力され、電源回路３８にて、増幅回路２３等の内部回路駆動用の電源電圧に変換されて、内部回路に供給される。
【００５０】
次に、図３は、分岐装置８の構成を表すブロック図である。
図３に示すように、分岐装置８には、監視装置６から端末側に至る伝送線路（同軸ケーブル）の監視装置６側に接続される入力端子４１と、この伝送線路の端末側に接続される出力端子４４と、２つの送信増幅器１０を各々接続するための分岐端子４９、５０とが備えられている。
【００５１】
そして、分岐装置８内には、送信増幅器１０の信号分離避雷回路２２と同様、監視装置６から入力端子４１に入力された入力信号を、２．６ＧＨｚ帯の放送信号と、放送信号よりも周波数が低い制御信号と、直流信号（つまりＤＶ１２Ｖ）とに分離すると共に、制御信号の分離経路を介して、当該分岐装置８や分岐端子４９、５０に接続された送信増幅器１０の動作状態を表す監視信号を入力端子４１から監視装置６側に出力させるためのフィルタ回路と、落雷等により生じるサージ電圧を吸収する避雷回路とからなる信号分離避雷回路４２が備えられている。
【００５２】
また、分岐装置８には、分岐装置８内を通過した制御信号、放送信号、及び、後述の定電圧回路６６にて生成された直流定電圧Ｖｃ（ＤＣ１２Ｖ）を混合して、出力端子４４から端末側に出力させると共に、端末側から出力端子４４に入力された監視信号を制御信号の入力経路に導くフィルタ回路と、落雷等により生じるサージ電圧を吸収する避雷回路とからなる信号分離避雷回路４３が内蔵されている。
【００５３】
また、同様に、分岐装置８には、分岐装置８内を通過した制御信号、放送信号、及び、後述の定電圧回路６６にて生成された直流定電圧Ｖｃ（ＤＣ１２Ｖ）を混合して、分岐端子４９、５０から送信増幅器１０側にそれぞれ出力させると共に、送信増幅器１０側から分岐端子４９、５０に入力された監視信号を制御信号の入力経路側に導くフィルタ回路と、落雷等により生じるサージ電圧を吸収する避雷回路とからなる信号分離避雷回路４７、４８も内蔵されている。
【００５４】
そして、伝送線路の上流側から入力端子４１に入力され、信号分離避雷回路４２を介して分離された放送信号は、分岐回路４５に入力され、分岐回路４５の入出力経路を介して信号分離避雷回路４３へと低損失で伝送されて、分離避雷回路４３及び出力端子４４を介して端末側に出力される。
【００５５】
また、分岐回路４５は、放送信号の一部を分岐させるが、その分岐された放送信号は、分配回路４６に入力されて、２分配される。そして、その２分配された放送信号は、分岐端子４９、５０に接続された信号分離避雷回路４７、４８にそれぞれ入力される。このため、この放送信号は、信号分離避雷回路４７、４８及び分岐端子４９、５０を介して、各分岐端子４９、５０に接続された送信増幅器１０へとそれぞれ出力されることになる。
【００５６】
また次に、伝送線路の上流側から入力端子４１に入力され、信号分離避雷回路４２を介して分離された制御信号は、分岐回路５１に入力され、分岐回路５１の入出力経路を介して信号分離避雷回路４３へと低損失で伝送され、分離避雷回路４３及び出力端子４４を介して端末側に出力される。
【００５７】
また、分岐回路５１にて分岐された制御信号は、監視信号の通過を阻止して制御信号を選択的に通過させるＬＰＦ５２を介して、データ復調部５３に入力される。そして、このデータ復調部５３では、制御信号が制御データに変換され、その変換された制御データは、マイクロコンピュータからなる幹線系の通信制御部５４に入力される。
【００５８】
この通信制御部５４は、データ復調部５３から入力された制御データに従い、温度センサ５４ａ、電圧検出部５４ｂ等から、当該分岐装置８の温度や電源電圧等の検出信号を取り込み、その検出信号に自己の識別情報等を付加したデータをデータ変調部５５に出力することで、データ変調部５５に、当該分岐装置８の動作状態を表す監視信号を生成させるものである。
【００５９】
そして、このようにデータ変調部５５にて生成された監視信号は、制御信号の通過を阻止して監視信号を選択的に通過させるＨＰＦ５６を介して、分岐回路５１に入力され、分岐回路５１から、信号分離避雷回路４２及び入力端子４１を介して、伝送線路の上流側（つまり分岐装置８側）に出力される。
【００６０】
また、分岐装置８には、幹線系の通信制御部５４の他、分岐系の通信制御部５７も設けられている。この通信制御部５７は、通信制御部５４と同様、マイクロコンピュータにて構成されており、分岐端子４９、５０に接続された送信増幅器１０との間で制御信号や監視信号を送受信するためのものである。
【００６１】
つまり、幹線系の通信制御部５４は、監視装置６から送信されてきた制御信号（データ復調部５３にて復調された制御データ）が、当該分岐装置８に対するものであれば、上述したように、その制御データに従い、検出信号の取り込み、監視信号の送信等を行うが、監視装置６から送信されてきた制御信号（データ復調部５３にて復調された制御データ）が、当該分岐装置８に対するものでなければ、その制御データを、分岐系の通信制御部５７に転送する。
【００６２】
そして、このように通信制御部５４から制御データが転送されてくると、分岐系の通信制御部５７は、その制御データは分岐端子４９、５０に接続された送信増幅器１０に対するものであるか否かを判定し、そうであれば、その制御データをデータ変調部５８に出力することで、データ変調部５８に制御信号を生成させる。
【００６３】
すると、データ変調部５８にて生成された制御信号は、監視信号の通過を阻止して制御信号を選択的に通過させるＬＰＦ５９を介して、分配回路６０に入力され、この分配回路６０にて２分配される。そして、この２分配された制御信号は、それぞれ、信号分離避雷回路４７、４８及び分岐端子４９、５０を介して、分岐端子４９、５０に接続された送信増幅器１０へと出力される。
【００６４】
一方、送信増幅器１０から分岐端子４９、５０に入力された監視信号は、信号分離避雷回路４７、４８、分配回路６０、及び、ＨＰＦ６１を介して、データ復調部６２に入力され、データ復調部６２にて、一旦、送信増幅器１０の動作状態を表す監視データに変換されて、分岐系の通信制御部５７に入力される。
【００６５】
すると、分岐系の通信制御部５７は、この監視データを幹線系の通信制御部５４に転送し、幹線系の通信制御部５４は、この監視データをデータ変調部５５に出力することで、データ変調部５５に、送信増幅器１０の動作状態を表す監視信号を生成させて、監視装置６側に送信させる。
【００６６】
このように、分岐系の通信制御部５７は、当該分岐装置８の分岐端子４９、５０に接続された送信増幅器１０と監視装置６との間で送受信されるデータを中継するのである。
また次に、分岐装置８には、外部の商用電源のコンセントから交流電源を取り込むための電源プラグ８ａが設けられている。そして、この電源プラグ８ａから入力される交流電圧は、手動操作用の電源スイッチ６３、過電流保護のためのヒューズ６４及び避雷回路６５を介して、定電圧回路６６に入力される。
【００６７】
この定電圧回路６６は、当該分岐装置８の内部電源（後述の制御電圧Ｖｓ、駆動電圧Ｖｄ等）を生成するのに必要で、しかも、送信増幅器１０に駆動電源として供給したり、当該分岐装置８よりも下流に設置された分岐装置８に対して給電指令信号として供給するのに必要な、直流定電圧Ｖｃ（ＤＣ１２Ｖ）を生成するためのものである。そして、この定電圧回路６６にて生成された直流定電圧Ｖｃは、電圧検出回路６７に入力される。
【００６８】
電圧検出回路６７は、信号分離避雷回路４２において、伝送線路から入力端子４１に入力された入力信号の中から、給電指令信号としての直流定電圧（ＤＣ１２Ｖ）が分離されているか否か、つまり、伝送線路の上流側に設置された装置（詳しくは監視装置６又は他の分岐装置８）から当該分岐装置８に対して、給電指令信号としての直流定電圧（ＤＣ１２Ｖ）が入力されているか否か、を検出するためのものである。
【００６９】
そして、入力端子４１に、給電信号としての直流定電圧（ＤＣ１２Ｖ）が入力されていると判定すると、定電圧回路６６にて生成された直流定電圧Ｖｃを、制御電圧生成回路６８、駆動電圧生成回路６９、及び、信号分離避雷回路４３、４７、４８に接続された直流電圧出力回路７１、７２、７３に出力する。
【００７０】
ここで、制御電圧生成回路６８は、通信制御部５４、５７を動作させるための制御電圧Ｖｓ（ＤＣ３．３Ｖ）を生成するためのものであり、その生成された制御電圧Ｖｓは、上記各通信制御部５４、５７に供給される。
【００７１】
このため、通信制御部５４、５７は、電源スイッチ６３がオン状態で、伝送線路の上流側に設置された監視装置６又は他の分岐装置８から当該分岐装置８に、給電指令信号としての直流定電圧（ＤＣ１２Ｖ）が入力されたときに起動され、その後、電源スイッチ６３がオフ状態に切り換えられるか、或いは、伝送線路の上流側に設置された監視装置６又は他の分岐装置８から当該分岐装置８への給電指令信号の入力が遮断されるまで、上述した通信制御を実行することになる。
【００７２】
また、駆動電圧生成回路６９は、データ変調部５５、５８やデータ復調部５３、６２、或いは、直流電圧出力回路７１、７２、７３内の駆動回路７０ｂ等、マイクロコンピュータにて構成された通信制御部５４、５７以外の内部回路を動作させるための駆動電圧Ｖｄ（ＤＣ５Ｖ）を生成するためのものであり、その生成された駆動電圧Ｖｄは、これら各部に供給される。
【００７３】
従って、データ変調部５５、５８、データ復調部５３、６２、直流電圧出力回路７１、７２、７３内の駆動回路７０ｂ等、通信制御部５４、５７以外の内部回路も、電源スイッチ６３がオン状態で、伝送線路の上流側に設置された監視装置６又は他の分岐装置８から当該分岐装置８に、給電指令信号としての直流定電圧（ＤＣ１２Ｖ）が入力されたときに動作を開始し、その後、電源スイッチ６３がオフ状態に切り換えられるか、或いは、伝送線路の上流側に設置された監視装置６又は他の分岐装置８から当該分岐装置８への給電指令信号の入力が遮断されると、動作を停止することになる。
【００７４】
次に、直流電圧出力回路７１、７２、７３は、信号分離避雷回路４３、４７、４８を介して、出力端子４４又は分岐端子４９、５０から、直流定電圧（ＤＣ１２Ｖ）を出力させるか否か、換言すれば、当該分岐装置８の出力端子４４又は分岐端子４９、５０に接続された分岐装置８又は送信増幅器１０を動作させるか否か、を切り換えるためのものである。
【００７５】
そして、これら各直流電圧出力回路７１、７２、７３には、電圧検出回路６７を介して出力された直流定電圧Ｖｃを、信号分離避雷回路４３、４７、４８に出力するか否かを切り換える常閉型の切換スイッチ７０ａと、上述した駆動電圧Ｖｄを受けて、この切換スイッチ７０ａをオンさせる駆動回路７０ｂとが設けられている。
【００７６】
また、各直流電圧出力回路７１、７２、７３には、駆動回路７０ｂが駆動電圧Ｖｄを受けてから、この切換スイッチ７０ａをオンさせるまでの遅延時間を設定するためのコンデンサＣ１、Ｃ２、Ｃ３が設けられており、このコンデンサＣ１、Ｃ２、Ｃ３の容量を調整することにより、コンデンサＣ１、Ｃ２、Ｃ３を所定電圧まで充電するのに要する時間を遅延時間として、任意に設定できるようにされている。
【００７７】
そして、本実施形態では、コンデンサＣ１、Ｃ２、Ｃ３の容量を、Ｃ１＞Ｃ２＞Ｃ３となるように設定することで、当該分岐装置８が給電指令信号により起動されると、まず最初に（当該分岐装置８の起動後、容量Ｃ３で決まる遅延時間Ｔ３が経過した時点で）、分岐端子５０に接続された送信増幅器１０が起動し、次に（当該分岐装置８の起動後、容量Ｃ２で決まる遅延時間Ｔ２が経過した時点で）、分岐端子４９に接続された送信増幅器１０が起動し、最後に（当該分岐装置８の起動後、容量Ｃ３で決まる遅延時間Ｔ３が経過した時点で）、出力端子４４に接続された下流側の分岐装置８が起動するようにされている。
【００７８】
なお、図１に示すように、同軸ケーブルからなる伝送線路に沿って従属接続される分岐装置８のうち、監視装置６から最も離れた最終段の分岐装置８の出力端子４４には、直流成分をカットし、且つ、伝送線路の末端をその線路のインピーダンスにて終端するための終端装置１４が接続されている。
【００７９】
以上説明したように、本実施形態の再送信システムにおいては、受信アンテナ２から受信増幅器４、監視装置６を通って端末側に至る伝送線路（同軸ケーブル）上に、複数の分岐装置８を配置し、これら各分岐装置８を介して、放送電波を再送信すべき領域毎に設置された送信増幅器１０に放送信号を伝送すると共に、各送信増幅器１０から出力された監視信号を監視装置６側に伝送するようにされている。
【００８０】
そして、各分岐装置８には、外部の商用電源から電源供給を受けて送信増幅器１０の駆動電源となる直流定電圧Ｖｃ（ＤＣ１２Ｖ）を生成する定電圧回路６６が設けられており、伝送線路を介して給電指令信号となる直流定電圧（ＤＣ１２Ｖ）が入力されると、電圧検出回路６７が、その旨を検出して、直流電圧出力回路７２、７３を動作させることにより、定電圧回路６６にて生成された直流定電圧Ｖｃ（ＤＣ１２Ｖ）を、分岐端子４９、５０に接続された送信増幅器１０に供給するようにされている。
【００８１】
このため、本実施形態の再送信システムによれば、分岐装置８を介して、各領域に設置された送信増幅器１０に放送信号を伝送し、送信増幅器１０から送信アンテナ１２を介して放送電波を再送信させることができるだけでなく、各分岐装置８から送信増幅器１０への電源供給を監視装置６側で制御しつつ、監視装置６側で各送信増幅器１０の動作状態を正確に監視することができるようになる。
【００８２】
また、監視装置６側から、給電指令信号としての直流定電圧（ＤＣ１２Ｖ）を送信するのを停止すれば、各送信増幅器１０の動作を一斉に停止させることができるので、メンテナンス等のために放送信号の伝送を停止させる際には、このような操作を行うことによって、送信アンテナから不要な信号が送信されるのを防止することができる。
【００８３】
また、各送信増幅器１０を起動する際、監視装置６は、給電指令信号を次段の分岐装置８に出力するだけでよいため、各送信増幅器の起動時に、監視装置６内の定電圧回路に過大な突入電流が流れ、監視装置６に電源供給を行う商用電源の配電盤側で安全装置が働き、その配電盤から監視装置６への給電が遮断されて、システム全体の動作が停止してしまう、といった問題を防止することもできる。
【００８４】
また、本実施形態では、監視装置６から、給電指令信号としての直流定電圧（ＤＶ１２Ｖ）を出力すると、次段の分岐装置８が、その給電指令信号にて起動して、直流定電圧（ＤＶ１２Ｖ）を生成し、これを給電指令信号として更に次段の分岐装置８に出力する、といった手順で、各分岐装置８が下流の分岐装置８に順に給電信号指令を出力するが、各分岐装置８が給電指令信号を受けてから次段の分岐装置８に給電信号を出力するまでの時間は、直流電圧出力回路７１に内蔵されたコンデンサＣ１の容量にて任意に設定できるようにされている。
【００８５】
また、各分岐装置８が給電指令信号を受けてから分岐端子４９、５０に接続された送信増幅器１０に駆動電源としての直流定電圧（ＤＣ１２Ｖ）を出力するまでの時間も、直流電圧出力回路７２、７３に内蔵されたコンデンサＣ２、Ｃ３の容量にて任意に設定できるようにされている。
【００８６】
このため、本実施形態の再送信システムによれば、上記各コンデンサＣ１〜Ｃ３の容量（延いては各直流電圧出力回路７１〜７３における駆動回路７０ｂが動作を開始する際の遅延時間）を異なる値に設定すれば、使用者が、監視装置６から給電指令信号を出力させた後、当該システムを構成している分岐装置８や送信増幅器１０が起動するタイミングをずらすことができる。
【００８７】
よって、本実施形態の再送信システムによれば、システムの起動時に、システム全体で過大な突入電流が流れることも防止することができる。このため、例えば、監視装置６と複数の分岐装置８が同系統の電源ラインから給電を受けている場合であっても、その電源ラインに過大な突入電流が流れて、システムを起動できなくなるのを防止することができる。
【００８８】
また更に、本実施形態では、送信増幅器１０だけでなく、分岐装置８にも、その動作状態を検出する検出手段（温度センサ５４ａや電圧検出部５４ｂ）を設け、その動作状態を表す監視信号を、監視装置６に送信するようにされているので、監視装置６側では、送信増幅器１０に加えて、分岐装置８の動作状態をも監視できるようになり、異常発生時には、その原因を速やかに特定して、修理等の対策を行うことができるようになる。
【００８９】
なお、本実施形態においては、受信アンテナ２及び受信増幅器４が、本発明の受信手段に相当し、分岐装置８に設けられた定電圧回路６６が、本発明の駆動電圧生成手段に相当し、同じく、電圧検出回路６７、駆動電圧生成回路６９、及び直流電圧出力回路７２、７３が、本発明の給電手段に相当し、同じく、電圧検出回路６７、駆動電圧生成回路６９、及び直流電圧出力回路７１が、本発明の給電指令遅延手段に相当し、同じく、温度センサ５４ａ、電圧検出部５４ｂ、幹線系の通信制御部５４、及びデータ変調部５５が、本発明の監視信号送信手段に相当する。
【００９０】
以上、本発明の一実施形態について説明したが、本発明は上記実施形態に限定されるものではなく、種々の態様を採ることができる。
例えば、上記実施形態では、モバイル放送の放送電波を再送信する再送信システムについて説明したが、本発明は、例えば、ＣＳデジタル放送、ＢＳデジタル放送、地上波デジタル放送等の放送電波を、その放送電波が届かない地域に再送信するシステムであっても、上記実施形態と同様に適用して、同様の効果を得ることができる。
【００９１】
また、上記実施形態では、受信アンテナ２からの受信信号を増幅して送信アンテナ１２まで伝送することにより、送信アンテナ１２から放送信号を再送信させるシステムについて説明したが、例えば、受信アンテナ１２からの受信信号を周波数変換（ダウンコンバート）した放送信号を送信アンテナ１２から再送信するシステムであっても、本発明を適用して、同様の効果を得ることができる。
【００９２】
例えば、モバイル放送用の再送信システムとして、人工衛星から１２ＧＨｚ帯の周波数で配信された放送電波（ＴＤＭ信号（ＴＤＭ：時分割多重））を受信アンテナにて受信し、その受信信号（ＴＤＭ信号）を、２．６ＧＨｚ帯の放送信号（ＣＤＭ信号（ＣＤＭ：符号分割多重））に変換して送信アンテナまで伝送することにより、この放送信号（ＣＤＭ信号）を送信アンテナから再送信させるシステムが知られているが、本発明は、この種の再送信システムに適用しても、上記実施形態と同様の効果を得ることができる。
【００９３】
また、上記実施形態では、分岐装置８内に分岐系の通信制御部５７を設け、この通信制御部５７にて、分岐端子４９、５０に接続された送信増幅器１０と監視装置６との間のデータ通信を中継するものとして説明したが、分岐装置８には、必ずしも分岐系の通信制御部５７を設ける必要はなく、例えば、分岐回路５１とは別に、信号分離避雷回路４２から信号分離避雷回路４３に至る制御信号及び監視信号の伝送経路上に分岐回路を設け、この分岐回路の分岐端子を、信号分離避雷回路４７における制御信号及び監視信号の入出力経路に接続することにより、分岐端子４９、５０に接続された送信増幅器１０と監視装置６とが直接データ通信を行うようにしてもよい。
【００９４】
また、上記実施形態では、分岐装置８は、全て、分配回路４６を内蔵した２分岐型の分岐装置であるとして説明したが、分岐装置８は、分配回路４６を内蔵せず分岐端子を一つだけ備えたものであっても、或いは、２分配よりも多い分配数の分配回路を設けて、分岐端子をその分配数に応じた数だけ設けた分岐装置であってもよい。
【図面の簡単な説明】
【００９５】
【図１】実施形態の放送電波再送信システムの構成を表すブロック図である。
【図２】実施形態の送信増幅器の構成を表すブロック図である。
【図３】実施形態の分岐装置の構成を表すブロック図である。
【符号の説明】
【００９６】
２…受信アンテナ、４…受信増幅器、６…監視装置、６ａ…電源プラグ、７…監視用アンテナ、８…分岐装置、８ａ…電源プラグ、１０…送信増幅器、１２…送信アンテナ、１４…終端装置、２１，４１…入力端子、２２，４２，４３，４７，４８…信号分離避雷回路、２３…増幅回路、２４…ＢＰＦ、２５，４４…出力端子、２６，５２，５９…ＬＰＦ、２７，５３，６２…データ復調部、２８，５４，５７…通信制御部、３１，５４ａ…温度センサ、３２…入力レベル検出回路、３３…出力レベル検出回路、３４，５４ｂ…電圧検出部、３５，５５，５８…データ変調部、３６，５６，６１…ＨＰＦ、３８…電源回路、４５，５１…分岐回路、４６，６０…分配回路、４９，５０…分岐端子、６３…電源スイッチ、６４…ヒューズ、６５…避雷回路、６６…定電圧回路、６７…電圧検出回路、６８…制御電圧生成回路、６９…駆動電圧生成回路、７１〜７３…直流電圧出力回路、７０ａ…切換スイッチ、７０ｂ…駆動回路、Ｃ１〜Ｃ３…コンデンサ。
【図１】
0004763436.tif 000002
【図２】
0004763436.tif 000003
【図３】
0004763436.tif 000004